(57)【要約】【課題】一般のパネルユニットを用いてセミユニット式のカーテンウォールとする。【解決手段】パネルユニット２の左右の縦枠材２２を、外周側に向けて開口した凹部２２ｃを有する形状とし、左右一方の方立１に設けたアタッチメント４の他側支持部４２とパネルユニットの左右一方の縦枠材２２の凹部２２ｃを嵌合することで室内外方向の動きを規制し、左右方向に所定のストロークで動くことが可能に支持し、左右他方の方立１に設けたアタッチメント４の一側支持部４１とパネルユニットの左右他方の縦枠材２２の凹部２２ｃを嵌合することで室内外方向及び左右方向の動きを規制するように支持してパネルユニット２を左右の方立１間に渡って取り付け、その縦枠材２２の凹部２２ｃにアンカーを係合して建物躯体に取り付けできるようにすることで、建物躯体の開口部に取り付ける一般のパネルユニットでセミユニット式のカーテンウォールとする。【選択図】図３
2014152492.tif 000002
【特許請求の範囲】
【請求項１】
左右方向に隣接した方立間に渡ってパネルユニットを、方立に設けたアタッチメントで取り付けたカーテンウォールであって、
前記パネルユニットの左右の縦枠材は、外周側に向けて開口した凹部を有し、
前記アタッチメントは、前記左右の縦枠材の凹部と各々嵌合する一側支持部と、他側支持部とを有し、
前記左右一方の縦枠材の凹部と左右一方の方立に設けたアタッチメントの他側支持部が嵌合することで、その縦枠材を方立に、室内外方向の動きを規制し、かつ左右方向に所定のストロークで動くことが可能に支持し、
前記左右他方の縦枠材の凹部と左右他方の方立に設けたアタッチメントの一側支持部が嵌合することで、その縦枠材を方立に、室内外方向及び左右方向の動きを規制するように支持したことを特徴とするカーテンウォール。
【請求項２】
前記パネルユニットの荷重を方立に固着した荷重受け部材で支持すると共に、
前記アタッチメントの一側支持部と前記左右他方の縦枠材の凹部、及び前記アタッチメントの他側支持部と前記左右一方の縦枠材の凹部が上下方向に相対的に摺動可能とした請求項１記載のカーテンウォール。
【請求項３】
前記アタッチメントは、前記左右他方の縦枠材の凹部に前記一側支持部を嵌合した状態で方立に固着可能であり、
前記アタッチメントの他側支持部に前記左右一方の縦枠材の凹部の室外側一端を前記アタッチメントの他側支持部を支点として左右に斜めの姿勢から回動することで嵌合すると共に、前記左右一方の縦枠材を取付姿勢とすることで前記左右一方の縦枠材の凹部が他側支持部から抜けないようにした請求項２記載にカーテンウォール。
【請求項４】
前記アタッチメントは、取付部と、この取付部に設けた左右一方に向かう一側支持部と、前記取付部に設けた左右方向他方に向かう他側支持部を備え、
前記取付部が他側支持部よりも左右方向他方に突出していると共に、一側支持部を縦枠材に固着具で固着可能である請求項３記載のカーテンウォール。
【請求項５】
前記左右一方の縦枠材の凹部の室外側一端部には突起部が設けられ、かつ前記アタッチメントの他側支持部の先端部に突起部が設けられ、
前記縦枠材が左右方向に動いた際に、前記左右一方の縦枠材の凹部の突起部が前記アタッチメントの突起部に当接することで左右方向の動きが規制されて前記アタッチメントから抜けないようにした請求項３又は４記載にカーテンウォール。
【発明の詳細な説明】
【技術分野】
【０００１】
本発明は、カーテンウォール、詳しくは、方立にパネルユニットを取り付けたセミユニット式のカーテンウォールに関する。
【背景技術】
【０００２】
カーテンウォールは、パネルユニットを躯体に取り付けるユニット式のカーテンウォール、躯体に取り付けた方立にパネルユニットを取り付けるセミユニット式のカーテンウォール、躯体に取り付けた方立に無目を連結して枠を形成し、その枠にパネルを装着した方立式のカーテンウォールが知られている。
そして、セミユニット式のカーテンウォールが特許文献１に開示されている。
このカーテンウォールは、建物躯体に左右方向に間隔を置いて取り付けた方立と、枠体にパネルを装着したパネルユニットを有し、枠体を方立にブラケットで固着して左右の方立間に渡ってパネルユニットを取り付けている。
【先行技術文献】
【特許文献】
【０００３】
【特許文献１】特許第４８６４９１９号公報
【発明の概要】
【発明が解決しようとする課題】
【０００４】
セミユニット式のカーテンウォールは、パネルユニットを方立に、左右の方立間の間隔誤差の吸収、パネルユニットの層間変位追従ができるように取り付けることが必要である。
特許文献１に開示したセミユニット式のカーテンウォールでは、枠体の横枠材を、ブラケットを連結するボルトの頭部が長手方向にスライド自在に挿入する凹条溝を有する形状とすることで、ブラケットに対して横枠材が面内方向に変位できるようにし、それによって左右の方立間の間隔誤差の吸収、パネルユニットの層間変位追従ができるようにしている。
このように、横枠材は凹条溝を有する特殊な形状で、建物躯体の開口部に取り付ける一般のパネルユニットの枠体を構成する横枠材とは形状が異なり、パネルユニットはカーテンウォール専用で、一般のパネルユニットを方立に取り付けてセミユニット式のカーテンウォールとすることができない。
【０００５】
本発明は、一般のパネルユニットを用いてセミユニット式のカーテンウォールとすることができるカーテンウォールを提供することを目的とする。
【課題を解決するための手段】
【０００６】
本発明は、左右方向に隣接した方立間に渡ってパネルユニットを、方立に設けたアタッチメントで取り付けたカーテンウォールであって、
前記パネルユニットの左右の縦枠材は、外周側に向けて開口した凹部を有し、
前記アタッチメントは、前記左右の縦枠材の凹部と各々嵌合する一側支持部と、他側支持部とを有し、
前記左右一方の縦枠材の凹部と左右一方の方立に設けたアタッチメントの他側支持部が嵌合することで、その縦枠材を方立に、室内外方向の動きを規制し、かつ左右方向に所定のストロークで動くことが可能に支持し、
前記左右他方の縦枠材の凹部と左右他方の方立に設けたアタッチメントの一側支持部が嵌合することで、その縦枠材を方立に、室内外方向及び左右方向の動きを規制するように支持したことを特徴とするカーテンウォールである。
【０００７】
本発明のカーテンウォールは、前記パネルユニットの荷重を方立に固着した荷重受け部材で支持すると共に、
前記アタッチメントの一側支持部と前記左右他方の縦枠材の凹部、及び前記アタッチメントの他側支持部と前記左右一方の縦枠材の凹部が上下方向に相対的に摺動可能とすることができる。
このようにすれば、パネルユニットは上下方向に拘束されず自由に動けるので、層間変位追従性が向上すると共に、方立と縦枠材の熱伸びの差を吸収することができる。
【０００８】
本発明のカーテンウォールは、前記アタッチメントは、前記左右他方の縦枠材の凹部に前記一側支持部を嵌合した状態で方立に固着可能であり、
前記アタッチメントの他側支持部に前記左右一方の縦枠材の凹部の室外側一端を前記アタッチメントの他側支持部を支点として左右に斜めの姿勢から回動することで嵌合すると共に、前記左右一方の縦枠材を取付姿勢とすることで前記左右一方の縦枠材の凹部が他側支持部から抜けないようにすることができる。
このようにすれば、縦枠材にアタッチメントを取り付けた状態で、パネルユニットを方立に取り付けできるから、パネルユニットの施工性が優れたものとなる。
しかも、縦枠材、方立に面倒な加工が不要である。
【０００９】
本発明のカーテンウォールは、前記アタッチメントは、取付部と、この取付部に設けた左右一方に向かう一側支持部と、前記取付部に設けた左右方向他方に向かう他側支持部を備え、
前記取付部が他側支持部よりも左右方向他方に突出していると共に、一側支持部を縦枠材に固着具で固着可能とすることができる。
このようにすれば、アタッチメントの一側支持部を他方の縦枠材の凹部に長手方向から挿入して嵌合すると共に、その一側支持部を固着具で仮取り付けし、その状態でアタッチメントの取付部を方立に固着して取り付けできると共に、アタッチメントを方立に取り付けた状態で固着具を外して一側支持部を上下方向に移動可能とすることができる。
【００１０】
本発明のカーテンウォールは、前記左右一方の縦枠材の凹部の室外側一端部には突起部が設けられ、かつ前記アタッチメントの他側支持部の先端部に突起部が設けられ、
前記縦枠材が左右方向に動いた際に、前記左右一方の縦枠材の凹部の突起部が前記アタッチメントの突起部に当接することで左右方向の動きが規制されて前記アタッチメントから抜けないようにできる。
【発明の効果】
【００１１】
本発明によれば、パネルユニットの左右の縦枠材は、外周側に向けて開口した凹部を有し、その凹部をアタッチメントの一側支持部に嵌合すると共に、他側支持部に嵌合することでパネルユニットを左右の方立間に渡って取り付けるので、その凹部にアンカーを係合し、そのアンカーを建物躯体に固着してパネルユニットを建物躯体の開口部に取り付けることが可能である。
したがって、一般のパネルユニットを用いてセミユニット式のカーテンウォールとすることができる。
【図面の簡単な説明】
【００１２】
【図１】本発明の実施の形態を示すカーテンウォールの一部外観図である。
【図２】図１のＡ−Ａ断面図である。
【図３】図１のＢ−Ｂ断面図である。
【図４】図１のＣ−Ｃ断面図である。
【図５】縦枠材取付部分の拡大横断面図である。
【図６】パネルユニットの取付動作説明図である。
【図７】端部パネルユニットの端部分の横断面図である。
【図８】コーナー部の横断面図である。
【発明を実施するための形態】
【００１３】
本発明の実施の形態を説明する。
なお、建物の室内と室外の方向を室内外方向とし、この室内外方向と直交する方向（後述する取り付けしたパネルユニットの表面と平行な方向）を面内方向とし、その面内方向で左右に向かう方向を左右方向、上下に向かう方向を上下方向として説明する。
【００１４】
図１に示すように、図示しない建物躯体に左右方向に間隔を置いて取り付ける複数の方立１と、複数のパネルユニット２を備え、パネルユニット２が左右の方立１の室外側部間に渡って上下方向及び左右方向に連続して取り付けられ、セミユニット式のカーテンウォールとしてある。
この実施の形態では、パネルユニット２を窓部パネルユニット２Ａと腰部パネルユニット２Ｂとで構成してある。
【００１５】
窓部パネルユニット２Ａは、上横枠材２０と下横枠材２１と左右の縦枠材２２を方形状に連結した枠体２ａと、その枠体２ａに装着したパネル２ｂを有している。
そして、左右に隣接した窓部パネルユニット２Ａの一方の窓部パネルユニット２Ａの他方の縦枠材２２と、他方の窓部パネルユニット２Ａの一方の縦枠材２２が１つの方立１の室外側部に後述するアタッチメント４で支持される。
腰部パネルユニット２Ｂも同様に、上横枠材２０と下横枠材２１と左右の縦枠材２２を方形状に連結した枠体２ａと、その枠体２ａに装着したパネル２ｂを有している。
そして、左右に隣接した腰部パネルユニット２Ｂの一方の腰部パネルユニット２Ｂの他方の縦枠材２２と、他方の腰部パネルユニット２Ｂの一方の縦枠材２２が１つの方立１の室外側部に後述するアタッチメント４で支持される。
【００１６】
図２に示すように、窓部パネルユニット２Ａの上横枠材２０及び下横枠材２１は、本体部２０ａ，２１ａと、その本体部２０ａ，２１ａの室内外方向の室外側に設けたパネル装着部２０ｂ，２１ｂを有し、本体部２０ａ，２１ａの枠体２ａの外周面となる外周側面に、室内側鉤片２３と室外側鉤片２４を有した同一断面形状で、上下方向に反転して使用する。
【００１７】
室内側鉤片２３は、本体部２０ａ，２１ａの外周側面の室内端に設けた上下方向に向かう基片２３ａと、この基片２３ａの先端部に室内外方向の室外側に向けて設けた先片２３ｂとで室外側に向かう鉤形状である
室外側鉤片２４は、本体部２０ａ，２１ａの外周側面の室外側寄りに設けた上下方向に向かう基片２４ａと、この基片２４ａの先端部に室内外方向の室内側に向けて設けた先片２４ｂとで室内側に向かう鉤形状である。
そして、室内側鉤片２３、室外側鉤片２４で本体部２０ａ，２１ａの外周側面にあり溝形状で、外周側に向けて開口した凹部２０ｃ，２１ｃを有している。
【００１８】
図２に示すように、腰部パネルユニット２Ｂの上横枠材２０及び下横枠材２１は、窓部パネルユニット２Ａの上横枠材２０、下横枠材２１と同様に、本体部２０ａ，２１ａとパネル装着部２０ｂ，２１ｂを有すると共に、本体部２０ａ，２１ａの外周側面に室内側鉤片２３、室外側鉤片２４を有した同一断面形状で、上下方向に反転して使用する。
室内側鉤片２３、室外側鉤片２４は窓部パネルユニット２Ａの上下横枠材２０，２１の室内側鉤片２３、室外側鉤片２４と同様に、基片２３ａ，３４ａと先片２３ｂ，２４ｂで室外側、室内側に向かう鉤形状で、本体部２０ａ，２１ａの外周側面に、あり溝形状で外周側に向けて開口した凹部２０ｃ，２１ｃを形成している。
つまり、窓部パネルユニット２Ａ、腰部パネルユニット２Ｂの上横枠材２０，２０及び下横枠材２１，２１は同一断面形状である。
【００１９】
図３に示すように、窓部パネルユニット２Ａの左右の縦枠材２２は、本体部２２ａと、この本体部２２ａの室内外方向の室外側に設けたパネル装着部２２ｂを有し、本体部２２ａの外周側面に室内側鉤片２５と室外側鉤片２６を有した同一断面形状で、長手方向に反転して使用する。
室内側鉤片２５、室外側鉤片２６は上下横枠材２０，２１の室内側鉤片２３、室外側鉤片２４と同様に基片２５ａ，２６ａと先片２５ｂ，２６ｂとで室外側、室内側に向かう鉤形状で、本体部２２ａの外周側面にあり溝形状で、外周側に向けて開口した凹部２２ｃを形成している。
【００２０】
図４に示すように、腰部パネルユニット２Ｂの左右の縦枠材２２は、窓部パネルユニット２Ａの縦枠材２２と同様に本体部２２ａと、この本体部２２ａの室内外方向の室外側に設けたパネル装着部２２ｂを有し、本体部２２ａの外周側面に室内側鉤片２５と室外側鉤片２６を有した同一断面形状で、長手方向に反転して使用する。
室内側鉤片２５、室外側鉤片２６は窓部パネルユニット２Ａの縦枠材２２の室内側鉤片２５、室外側片２６と同様に基片２５ａ，２６ａと先片２５ｂ，２６ｂとで室外側、室内側に向かう鉤形状で、本体部２２ａの外周側面にあり溝形状で外周側に向けて開口した凹部２２ｃを形成している。
つまり、窓部パネルユニット２Ａの縦枠材２２と腰部パネルユニット２Ｂの縦枠材２２は同一断面形状である。
【００２１】
次に、窓部パネルユニット２Ａの取り付けを説明する。
図３に示すように左右に隣接した一方の窓部パネルユニット２Ａの他方の縦枠材２２は方立１の室外面１ａに固着したアタッチメント４で方立１の室外側部に室内外方向及び左右方向の動きを規制して支持される。
左右に隣接した他方の窓部パネルユニット２Ａの一方の縦枠材２２は前述したアタッチメント４で方立１の室外側部に室内外方向の動きを規制して、かつ左右方向に所定のストロークで動くことが可能に支持される。
【００２２】
図２に示すように、窓部パネルユニット２Ａの下部、例えば下横枠材２１の室内側鉤片２３の先片２３ｂが、方立１の室外面１ａに固着した荷重受け部材、例えばブラケット５に載置し、窓部パネルユニット２Ａの荷重を支持している。ブラケット５は固着具、例えばビス５ａで固着してある。
【００２３】
これにより窓部パネルユニット２Ａは左右の方立１間に渡って取り付けてある。
【００２４】
腰部パネルユニット２Ｂは、図３、図４に示すようにアタッチメント４、ブラケット５で窓部パネルユニット２Ａと同様に方立間に渡って取り付けてある。
【００２５】
次に、ブラケット４による縦枠材２０の方立１への支持を説明する。
アタッチメント４は、図５に示すように、方立１の室外面１ａに固着される取付部４０と、この取付部４０の室外側に設けた左右方向の一方、例えば左側に向かう一側支持部４１、左右方向の他方、例えば右側に向かう他側支持部４２を有した断面形状の長尺材である。
そして、取付部４０を方立１の室外面１ａに固着具、例えばビス４３で固着することでアタッチメント４を取り付ける。
【００２６】
アタッチメント４の一側支持部４１は、縦枠材２２の本体部２２ａの凹部２２ｃに、室内外方向及び左右方向の動きを規制するように嵌合する断面形状で、縦枠材２２を方立１の室外側部に室内外方向及び左右方向の動きを規制して支持する。
【００２７】
アタッチメント４の他側支持部４２は、縦枠材２２の本体部２２ａの凹部２２ｃに、室内外方向の動きを規制し、かつ左右方向に所定のストロークで動くことが可能に嵌合する断面形状で、縦枠材２２を方立１の室外側部に室内外方向の動きを規制し、かつ左右方向に所定のストロークで動くことが可能に支持する。
【００２８】
そして、左右一方の縦枠材２２の凹部２２ｃが左右一方の方立１に設けたアタッチメント４の他側支持部４２に嵌合すると共に、左右他方の縦枠材２２の凹部２２ｃが左右他方の方立１に設けたアタッチメント４の一側支持部４１に嵌合することで、窓部パネルユニット２Ａ及び腰部パネルユニット２Ｂが左右に隣接した方立１間に渡って取り付けられる。
【００２９】
このようであるから、アタッチメント４の他側支持部４２に対して一方の縦枠材２２が左右方向に動くことができるので、左右の方立間の間隔（ピッチ）誤差を吸収できると共に、パネルユニットの層間変位追従ができる。
【００３０】
しかも、縦枠材２２は、その本体部２２ａの外周側面に、外周側に向けて開口した凹部２０ｃを有する断面形状であるから、その凹部２０ｃにアンカーを取り付け、そのアンカーを建物躯体に固着することで、縦枠材２２を建物躯体の開口部に取り付けることができる。
つまり、縦枠材２２としてアンカーを用いて建物躯体の開口部に取り付ける一般のパネルユニットの縦枠材を用いることができる。
これにより、一般のパネルユニットを用いてセミユニット式のカーテンウォールとすることができる。
【００３１】
この実施の形態では上下横枠材２０，２１が、本体部２０ａ，２１ａの外周側面に凹部２０ｃ，２１ｃを有する断面形状であるから、その凹部２０ｃ，２１ｃを利用してアンカーで上下横枠材を建物躯体の開口部の上下に取り付けできる。
【００３２】
縦枠材２２の凹部２０ｃとアタッチメント４の一側支持部４１及び他側支持部４２とは、上下方向に移動可能に嵌合し、窓部パネルユニット２Ａ、腰部パネルユニット２Ｂの上下方向、つまり方立１の長手方向に移動可能であるので、各パネルユニットの層間変位追従性が向上すると共に、縦枠材２２と方立１の熱伸びの差を吸収できる。
【００３３】
図３、図４でアタッチメント４を縦枠材２２の本体部２２ａに固着している固着部、例えばビス６はパネルユニットを方立に取り付ける際にアタッチメント４を縦枠材２２に取り付けるためのもので、アタッチメント４を方立１に取り付けた後にはビス６を弛めて取り外しする。
【００３４】
アタッチメント４の具体形状を説明する。
アタッチメント４は、左右方向に向かう基片４４と、この基片４４の左右方向一端に室内外方向の室外側に向けて設けた突出片４５と、この突出片４５の突出端に左右方向に向けて設けた第１支持片４６と、この第１支持片４６の左右方向一端部に室内外方向の室外側に向けて設けた第２支持片４７と、この第２支持片４７の室外側寄りに左右方向に向けて設けた第３支持片４８と、第２支持片４７に設けた室内側係合片４９ａ、室外側係合片４９ｂを有し、第３支持片４８の先端部には室内外方向の室外側に向かう突起部４８ａを有している。
【００３５】
そして、第２支持片４７が縦枠材２２の本体部２２ａの外周側面に接すると共に、室内側係合片４９ａが室内側鉤片２５に係合し、室外側係合片４９ｂが室外側鉤片２６に係合することで、縦枠材２２を室内外方向及び左右方向の動きを規制して支持し、これによって左右方向の一方に向かう一側支持部４１を形成する。
第１支持片４６の室内側面と室内側鉤片２５の先片２５ｂ及び、第３支持片４８の室外側面と室外側鉤片２６の先片２６ｂがそれぞれ接することで縦枠材２２を室内外方向の動きを規制して支持すると共に、縦枠材２２は室外側鉤片２６の先片２６ｂ、つまり凹部２２ｃの室外側一端部の突起部が第３支持片４８の突起部４８ａに当接するまで左右方向に動くことができるように支持し、これによって左右方向の他方に向かう他側支持部４２を形成する。
【００３６】
アタッチメント４の取付部４０（基片４４）は他側支持部４２（第１支持片４６、第３支持片４８）よりも左右方向の他方に突出し、その取付部４０をビス４３で方立１の室外面１ａに固着する際に他側支持部４２が邪魔にならないようにしてある。
これにより、アタッチメント４の一側支持部４１を、パネルユニットの左右他方の縦枠材２２の凹部２２ｃに嵌合して取り付けた状態で、アタッチメント４の取付部４０を方立１の室外面１ａにビス４３で固着して取り付けできる。
【００３７】
アタッチメント４の第１支持片４６と第３支持片４８は室内外方向に離隔し、その第１支持片４６と第２支持片４８との間からビス６で第２支持片４７を縦枠材２２の外周側面に固着したり、外したりできるから、アタッチメント４を方立１に固着した状態で一側支持部４１を縦枠材２２から外すことができる。
【００３８】
次に、窓部パネルユニット２Ａの取り付けの一例を説明する。
窓部パネルユニット２Ａの左右他方（右方）の縦枠材２２の凹部２２ｃにブラケット４の一側支持部４１を嵌合してビス６で仮取り付けする。
窓部パネルユニット２Ａを図６（ａ）に示すように、左右一方（左方）の縦枠材２２よりも他方の縦枠材２２が室外側寄りとなるように斜めの姿勢とする。
これにより、一方の縦枠材２２が室内外方向に向かう取付姿勢に対して左右に斜めの姿勢となる。取付姿勢は図５の実線で示す姿勢で、斜めの姿勢は図５に仮想線で示す姿勢である。
【００３９】
窓部パネルユニット２Ａを図６（ａ）に矢印で示すように移動することで、その一方の縦枠材２２の室外側鉤片２６（凹部２２ｃの室外側一端）を図６（ｂ）に示すように、左右一方の方立１に取り付けてあるブラケット４の第２支持片４８（他側支持部４２）に接する。
接した状態は図５の仮想線で図示してある。
そして、窓部パネルユニット２Ａを室外側鉤片２６と第２支持片４８の接した点を支点として図６（ｂ）に矢印で示すように回動して他方の縦枠材２２を左右他方の方立１に接近することで、図６（ｃ）に示すように他方の縦枠材２２に仮取り付けしたアタッチメント４の取付部４０（基片４４）を左右他方の方立１の室外面１ａに押しつける。
この状態でアタッチメント４の取付部４０を方立１の室外面１ａにビス４３で固着する。
この後に、ビス６を取り外し、アタッチメント４の一側支持部４１に対して他方の縦枠材２２が上下方向に摺動可能とする。
【００４０】
つまり、アタッチメント４の他側支持部４２と他方の縦枠材２２の凹部２２ｃは、その縦枠材２２を取付姿勢に対して左右に斜めの姿勢として室外側鉤片２６を他側支持部４２に接し、その接した点を支点として回動することで、縦枠材２２を取付姿勢とすることで縦枠材２２の凹部２２ｃと他側支持部４２が嵌合すると共に、室外側鉤片２６が第３支持片４８の突起部４８ａと干渉して抜けないようにしてある。
【００４１】
腰部パネルユニット２Ｂも同様にして取り付ける。
腰部パネルユニット２Ｂを方立１に取り付け後に、図４に示すように方立１の側面１ｂと縦枠材２２の本体部２２ａの面内方向の内側面にブラケット２ｃをそれぞれ固着し、このブラケット２ｃで耐火ボードなどのボード２ｄを取り付ける。
【００４２】
そして、図２に示すように、窓部パネルユニット２Ａの上横枠材２０と腰部パネルユニット２Ｂの下横枠材２１との間及び、窓部パネルユニット２Ａの下横枠材２１と腰部パネルユニット２Ｂの上横枠材２０との間をシール材７でシールする。
図３、図４に示すように左右に隣接した縦枠材２２の間をシール材７でシールする。
【００４３】
左右方向端部の窓部パネルユニット２Ａは隣接する窓部パネルユニット２Ａが存在しないので、図７に示すように方立１の室外面１ａに端部縦枠材８を取り付け、この端部縦枠材８と縦枠材２２との間をシール材７でシールする。
例えば、端部縦枠材８を縦枠材２２と同一大きさの矩形中空形状で、室内外方向中間に左右方向に向かう取付片８ａを有する形状とする。
そして、取付片８ａをアタッチメント４の他側支持部４２（第３支持片４８）にビス８ｂで固着して端部縦枠材８を方立１に取り付ける。
【００４４】
カーテンウォールの左右方向端部が建物外壁９と隣接する場合には、図７に示すように建物外壁９と端部縦枠材８との間をシール材７でシールする。
腰部パネルユニット２Ｂも同様である。
【００４５】
図８に示すように、左右に隣接した窓部パネルユニット２Ａが角度を有して連続、例えば９０°で連続したコーナー部の場合には、方立１として室外面１ａが９０°に折曲した方立１を用いる。
アタッチメント４は、一方の窓部パネルユニット２Ａの縦枠材２２と対向した一側本体４ａと他方の窓部パネルユニット２Ａの縦枠材２２と対向した他側本体４ｂを有した本体４ｃと、一側本体４ａに設けた前述の他側支持部４２及び一側の取付部４０と、他側本体４ｂに設けた前述の他側支持部４２及び他側の取付部４０を有したものを用いる。
【００４６】
そして、アタッチメント４の各他側支持部４２が隣接した縦枠材２２の凹部２２ｃにそれぞれ嵌合することで、各縦枠材２２は室内外方向の動きを規制し、左右方向には所定ストロークで動くように方立１に支持される。
一側本体４ａと一方の窓部パネルユニット２Ａの縦枠材２２との間及び、他側本体４ｂと他方の窓部パネルユニット２Ａの縦枠材２２との間をシール材７でそれぞれシールする。
前述のコーナー用の方立１、コーナー用のアタッチメント４を用いて腰部パネルユニット２Ｂを所定の角度を有して連続できる。
【００４７】
このようであるから、端部縦枠材８、コーナー用の方立１、コーナー用のアタッチメント４を用いることで、窓部パネルユニット２Ａ、腰部パネルユニット２Ｂの面内方向の端部処理ができると共に、所定の角度で連続することができる。
【００４８】
前述の実施の形態は窓部パネルユニット２Ａと腰部パネルユニット２Ｂの２つのパネルユニットでパネルユニット２としたが、１つの枠体内に窓部、腰部を有した１つのパネルユニットとしても良い。
【符号の説明】
【００４９】
１…方立、１ａ…室外面、２…パネルユニット、２Ａ…窓部パネルユニット、２Ｂ…腰部パネルユニット、４…アタッチメント、５…ブラケット（荷重受け部材）、６…ビス（固着具）、７…シール材、８…端部縦枠材、２２…縦枠材、２２ａ…本体部、２２ｂ…パネル装着部、２２ｃ…凹部、４０…取付部、４１…一側支持部、４２…他側支持部。
【図１】
2014152492.tif 000003
【図２】
2014152492.tif 000004
【図３】
2014152492.tif 000005
【図４】
2014152492.tif 000006
【図５】
2014152492.tif 000007
【図６】
2014152492.tif 000008
【図７】
2014152492.tif 000009
【図８】
2014152492.tif 000010